(57)【要約】【課題】電子写真における全面画像形成時に発生する、転写帯電器などの汚れや、転写後の分離不良、定着の分離不良を改善するために、転写材より大きなガイド紙を転写材の４方からはみ出させる状態で、画像形成することで、汚れの発生や分離不良を防止でき良好な全面画像が形成できる。【解決手段】転写材に対し、全面画像を形成可能な電子写真装置において、全面画像を形成する際には、転写材より大きなガイド紙を、転写材の４方からはみ出る状態で付着させ、同時に転写、定着を行うことで、上記目的を達成している。【選択図】        図１
2005017570.tif 000002
【特許請求の範囲】
【請求項１】
転写材に対し、全面画像を形成可能な電子写真装置において、全面画像を形成する際には、転写材より大きなガイド紙を、転写材の４方からはみ出る状態で付着させ、同時に転写、定着を行うことを特徴とする画像形成装置。
【請求項２】
転写材とガイド紙は、給紙部から転写部の間で静電吸着することを特徴とする特許請求の範囲第１項記載の画像形成装置。
【請求項３】
ガイド紙には、転写材を接着するための接着剤を塗布することを特徴とする特許請求の範囲第１項記載の画像形成装置。
【請求項４】
転写材とガイド紙を分離するために、画像形成後に分離装置を配することを特徴とする特許請求の範囲第１〜３項記載の画像形成装置。
【発明の詳細な説明】
【０００１】
【発明の属する技術分野】
本発明は、電子写真方式によって画像形成を行う複写機、プリンタ等の画像形成装置に関するもので、転写材全域に画像を形成する全面画像形成に関するものである。
【０００２】
【従来の技術】
図７は、従来の画像形成装置の概略構成図であり、この画像形成装置は、リーダ部Ｒとプリンタ部Ｐとからなる。リーダ部Ｒは、固定された原稿台ガラス２０を有しており、この原稿台ガラス２０の下側には、リフレクタ２２内に収容された光源２１が原稿台ガラス２０の下面に沿って移動自在に設けられている。
【０００３】
そして、コピーすべき原稿１９を原稿台ガラス２０上に載置して、図示しないコピースタートキーを押すと、ホームポジションに停止していた光源２１及び第１ミラー２３が原稿台ガラス２０の下面に沿って所定の速度Ｖで左方より右方へと移動して、原稿台ガラス２０上の原稿１９のコピー面を照明し、原稿１９からの反射光は、第１ミラー２３より光源２１と同方向へＶ／２の速度で移動する第２ミラー２４、第３ミラー２５を経て結像レンズ２９へ送られ、該結像レンズ２９により固定第４ミラー２６を介してＣＣＤ（電荷結合素子）６１上に結像され、図８に示すＡ（アナログ）／Ｄ（デジタル）変換装置６２によりデジタル信号に変換される。
【０００４】
また、往動した光源２１や第１〜第３ミラー２３、２４、２５は、所定の往動終点に到達すると復動移動に転じられて、始めのホームポジションへ戻り、次のコピーサイクルの開始まで待機する。
【０００５】
なお、上記リーダ部Ｒの解像度は、入出力共に６００ｄｐｉまで可能である。
【０００６】
一方、画像形成装置はリーダ部Ｒより読み取った信号以外にも、図８に示すように複写機能や、コンピュータ７５等からの信号をプリントアウトするプリンタ機能、ファクシミリ（ＦＡＸ）７６の機能等の複数の機能をこなすために、複数種類のデジタル画像信号の入力経路を備えたデジタル複合機となっている。
【０００７】
そして、図８に示すようにＣＣＤ、６１、コンピュータ７５及びファクシミリ７６からのデジタル信号化された画像情報をインターフェイス７７を介して画像処理装置６３を通過させることで画像処理を施し、更にＤ（デジタル）／Ａ（アナログ）変換装置６５によって再びアナログ信号に変換し、その信号によりレーザードライバー６６を介して半導体レーザー６７を点灯させる。
【０００８】
半導体レーザー６７より発射されたレーザー光は、図７に示すプリンタ部Ｐの高速定速回転されているポリゴンミラー４０とＦθレンズ４１により長手方向に展開され、固定ミラー２７、２８を介して回転感光体ドラム１面上に結像露光される。
【０００９】
回転感光体ドラム１の表面は、この露光前に１次帯電器３０により正または負の所定電位に一様に帯電処理されており、この帯電面に対して上記の露光がなされることで、感光体ドラム１面に原稿画像に対応したパターンの静電潜像が順次形成されていく。そして、感光体ドラム１面に形成された静電潜像は、現像装置３１の現像ローラ３２で現像されることにより、トナー像として顕画化される。
【００１０】
一方、給紙ローラ６２により記録材としての転写材シートが給送され、ガイド３３を通って所定のタイミングで感光体ドラム１と転写帯電器３４との間の転写部へ搬入され、転写帯電器３４より転写コロナを受けることにより、感光体ドラム１の表面に密着して該感光体ドラム１表面のトナー顕画像が転写材シート面に順次転写されていく。
【００１１】
像転写部を通過した転写材シートは、分離帯電器３５によって背面電荷が除電されることにより感光体ドラム１面から順次剥離され、搬送部３８、入口ガイド１０を経て定着装置６０へ搬送される。定着ローラ６は、ハロゲンヒーター７より加熱され、温度検地装置８と不図示の温度調整回路により、所定の温度に調整される。転写材シートが、定着ローラ６に加圧、接触している加圧ローラ９のニップ内を追加することでトナー画像定着処理が施されて排紙（出口）ガイド１２を介して画像形成物として機外へ搬出される。
【００１２】
ところで、上記した従来の電子写真方式を利用した画像形成装置では、トナー像を転写、定着する際に、一般に転写材先行端、左右端部に１〜５ｍｍの余白を形成する必要がある。
【００１３】
先端部の余白は、円筒形をした電子写真感光体表面からトナー画像が転写された転写材を分離する際に、転写材先端に余白がないと分離不良が生じることがあるためである。また、別の理由として、定着器のローラから転写材の分離を促すために、転写材先端に余白を設ける必要があるためである。さらに、先端部以外の余白は、端部ぎりぎりに画像を形成するとどうしても転写材以外の周辺部を汚してしまうため、余白を形成する必要が生じる。このように、転写材に余白を形成することに対して、すでに数々の出願がなされている（例えば、特許文献１参照。）。
【００１４】
【特許文献１】
特開平０５−００４７５０号公報
【００１５】
【発明が解決しようとする課題】
ところで、上記したように従来の電子写真方式を利用した画像形成装置では、転写材先後端、左右端部に１〜５ｍｍの余白を形成することにより、以下のような問題があった。
【００１６】
電子写真方式を利用した画像形成装置が例えば複写機の場合には、転写材全面に対応した画像情報を有する原稿を複写する際などに、転写材先端に余白部があることによって画像情報の一部が欠損する。
【００１７】
上記したように転写材全面に対応した画像情報を有する原稿を複写する際などに、画像情報を欠損させないようにすると、転写材のサイズ変更もしくは画像を縮小する必要がある。
【００１８】
そこで本発明は、転写材全面に画像情報を転写する際などでも、転写材のサイズ変更や画像を縮小することなく全画像情報を転写材全面に転写することができる画像形成装置を提供することを目的とする。
【００１９】
【課題を解決するための手段】
上記目的を達成するために本発明は、転写材に対し、全面画像を形成可能な電子写真装置において、全面画像を形成する際には、転写材より大きなガイド紙を、転写材の４方からはみ出る状態で付着させ、同時に転写、定着を行うことで、上記目的を達成している。
【００２０】
（作用）
本発明の構成によれば、転写材に対し、全面画像を形成可能な電子写真装置において、全面画像を形成する際には、転写材より大きなガイド紙を、転写材の４方からはみ出る状態で付着させ、同時に転写、定着を行うことで、分離不良およびトナー飛散による汚れを防止できる、全面画像形成装置が提供できる。
【００２１】
【発明の実施の形態】
（実施例１）
本発明にかかる第１の実施例を図１、図２を用いて説明する。図１に示す画像形成装置は、従来の画像形成装置からガイド紙給紙部１０３、ガイド紙進入位置調整用レジストローラ１０２、ガイド紙分離爪１０４が追加されている。ガイド紙２０３は、ガイド紙給紙部１０３、から給紙され、ガイド紙進入位置調整用レジストローラ１０２により位置が調整され、図２に示すように、転写材シート２０２の４方を囲う位置に給紙される。給紙された転写材シート２０２とガイド紙２０３は、転写帯電器３４からのコロナ放電で吸着し同時に画像を転写する。吸着した、転写材シート２０２とガイド紙２０３は、分離帯電器３５により感光体ドラム３５から分離される。このときガイド紙２０３が分離されると、転写材シート２０２は、ガイド紙２０３に伴って分離される。また、画像２０１が転写材シート２０２からはみ出しても、ガイド紙２０３内に形成されるため、転写帯電器３４や分離帯電器３５を汚すことはない。分離された転写材シート２０２とガイド紙２０３は、定着装置６０に進入し定着される。このときもガイド紙２０３が定着ローラ６から分離されると、転写材シート２０２は、ガイド紙２０３に伴って分離される。その後ガイド紙分離爪１０４により、転写材シート２０２とガイド紙２０３が分離される。本発明では、給紙を自動化させたが、給紙ガイド上に所定の位置にガイド紙と転写材シートをおくことで、同時に給紙することも可能である。また、画像形成後のガイド紙と転写材シートの分離も分離爪により行ったが、排紙後ユーザーによりはがしても問題ない。
【００２２】
本発明により、余白の無い全面画像を形成でき、さらに、転写帯電器の汚れ、転写部、定着部の分離不良の起こらない、画像形成装置が提供できる。
【００２３】
（実施例２）
本発明にかかる第２の実施例を図３、用いて説明する。図３に示す画像形成装置は、第１実施例の画像形成装置に転写前帯電器１０４と対向板１０５が追加されている。ガイド紙２０３は、ガイド紙給紙部１０３、から給紙され、ガイド紙進入位置調整用レジストローラ１０２により位置が調整され、図２に示すように、転写材シート２０２の４方を囲う位置に給紙される。給紙された転写材シート２０２とガイド紙２０３は、転写前帯電器１０４からのコロナ放電で吸着しその後転写帯電器３４にて画像を転写する。吸着した、転写材シート２０２とガイド紙２０３は、分離帯電器３５により感光体ドラム３５から分離される。このときガイド紙２０３が分離されると、転写材シート２０２は、ガイド紙２０３に伴って分離される。また、画像２０１が転写材シート２０２からはみ出しても、ガイド紙２０３内に形成されるため、転写帯電器３４や分離帯電器３５を汚すことはない。分離された転写材シート２０２とガイド紙２０３は、定着装置６０に進入し定着される。このときもガイド紙２０３が定着ローラ６から分離されると、転写材シート２０２は、ガイド紙２０３に伴って分離される。その後ガイド紙分離爪１０４により、転写材シート２０２とガイド紙２０３が分離される。本発明では、給紙を自動化させたが、給紙ガイド上に所定の位置にガイド紙と転写材シートをおくことで、同時に給紙することも可能である。また、画像形成後のガイド紙と転写材シートの分離も分離爪により行ったが、排紙後ユーザーによりはがしても問題ない。
【００２４】
本発明では、転写前にガイド紙と転写材シートを吸着することで、転写部の画像乱れがより少なくなり、良好な画像が得られた。
【００２５】
本発明により、余白の無い全面画像を形成でき、さらに、転写帯電器の汚れ、転写部、定着部の分離不良の起こらない、画像形成装置が提供できる。
【００２６】
（実施例３）
本発明にかかる第２の実施例を図４、図５、図６を用いて説明する。第４に示す画像形成装置は、第１実施例の画像形成装置に転写前吸着ローラ１０６が追加されている。本発明で用いるガイド紙３０３は、ポリイミドでなる基層３０１上に、再剥離可能で１５０℃の耐熱性をもつアクリル系接着剤３０２をコートしている。このガイド紙３０３は、ガイド紙給紙部３３から給紙され、ガイド紙進入位置調整用レジストローラ１０２により位置が調整され、図６に示すように、転写材シート３０４の４方を囲う位置に給紙される。給紙された転写材シート３０４とガイド紙３０３は、転写前吸着ローラ１０６で加圧接着されその後転写帯電器３４にて画像を転写する。吸着した、転写材シート３０４とガイド紙３０３は、分離帯電器３５により感光体ドラム３５から分離される。このときガイド紙３０３が分離されると、転写材シート３０４は、ガイド紙３０３に伴って分離される。また、画像３０５が転写材シート３０４２からはみ出しても、ガイド紙３０３内に形成されるため、転写帯電器３４や分離帯電器３５を汚すことはない。分離された転写材シート３０４とガイド紙３０３は、定着装置６０に進入し定着される。このときもガイド紙３０３が定着ローラ６から分離されると、転写材シート３０４は、ガイド紙３０３に伴って分離される。その後ガイド紙分離爪１０４により、転写材シート３０４とガイド紙３０３が分離される。本発明では、給紙を自動化させたが、給紙ガイド上に所定の位置にガイド紙と転写材シートをおくことで、同時に給紙することも可能である。また、画像形成後のガイド紙と転写材シートの分離も分離爪により行ったが、排紙後ユーザーによりはがしても問題ない。
【００２７】
本発明では、転写前にガイド紙と転写材シートを接着することで、転写部の画像乱れがより少なくなり、良好な画像が得られた。
【００２８】
本発明により、余白の無い全面画像を形成でき、さらに、転写帯電器の汚れ、転写部、定着部の分離不良の起こらない、画像形成装置が提供できる。
【００２９】
【発明の効果】
以上説明したように本発明によれば、転写材に対し、全面画像を形成可能な電子写真装置において、全面画像を形成する際には、転写材より大きなガイド紙を、転写材の４方からはみ出る状態で付着させ、同時に転写、定着を行うことで、分離不良およびトナー飛散による汚れを防止できる、全面画像形成装置が提供できる。
【図面の簡単な説明】
【図１】本発明の実施の形態１に係る画像形成装置を示す概略構成図。
【図２】本発明の実施の形態１に係るガイド紙、転写材シート、画像の図。
【図３】本発明の実施の形態２に係る画像形成装置を示す概略構成図。
【図４】本発明の実施の形態３に係る画像形成装置を示す概略構成図。
【図５】本発明の実施の形態３に係るガイド紙の構成図。
【図６】本発明の実施の形態３に係るガイド紙、転写材シート、画像の図。
【図７】従来の画像形成装置を示す概略構成図。
【図８】従来の画像形成装置の画像処理に関する概略構成図。
【符号の説明】
１  感光体ドラム
２  レジストローラ
３  給紙ローラ
６  定着ローラ
９  加圧ローラ
１０  入口ガイド
１２  出口ガイド
１９  原稿
２０  原稿台ガラス
２１  光源（露光手段）
２２  リフレクタ
２３〜２８  ミラー
２９  結像レンズ
３０  １次帯電器（帯電手段）
３１  現像装置（現像手段）
３２  現像ローラ
３４  転写帯電器（帯電手段）
３５  除電針
３６  クリーニング器
３７  クリーニングブレード
３８  搬送部
３９  感光体ドラム（像担持体）
４０  ポリゴンミラー
４１  Ｆθレンズ
６０  定着装置
６１  ＣＣＤ
６２  Ａ／Ｄ変換装置
６３  画像処理装置
６５  Ｄ／Ａ変換装置
６６  レーザードライバー
６７  半導体レーザー
７５  コンピュータ（計算機）
【図１】
2005017570.tif 000003
【図２】
2005017570.tif 000004
【図３】
2005017570.tif 000005
【図４】
2005017570.tif 000006
【図５】
2005017570.tif 000007
【図６】
2005017570.tif 000008
【図７】
2005017570.tif 000009
【図８】
2005017570.tif 000010